(57)【要約】【課題】  所定の表示器の前面に、ＬＥＤチップなどの発光手段が設けられた透光性を有する演出用基板を備えることで、図柄の視認性を確保しつつ、安価で従来にない演出が可能となる。【解決手段】  図柄が周面上に表示され、変動・停止制御されるリール７と、所定の演出表示を表示させるＬＥＤ演出板２１と、を備えるスロットマシン１であって、ＬＥＤ演出板２１が、ＬＥＤチップ２１ａが実装されるとともに、リール７上の図柄が外部から視認可能な透光性を有する基材からなり、リール７の前面に設けられている。【選択図】    図１
2008264215.tif 000002
【特許請求の範囲】
【請求項１】
図柄が変動・停止表示される所定の表示器と、所定の演出表示を表示させる演出用基板と、を備える遊技機であって、
前記演出用基板が、
所定の発光手段が実装されるとともに、前記表示器の図柄が外部から視認可能な透光性を有する基材からなり、
前記表示器の前面に設けられたことを特徴とする遊技機。
【請求項２】
前記発光手段が、ＬＥＤチップからなる請求項１記載の遊技機。
【請求項３】
前記発光手段が、複数設けられるとともに、前記演出用基板上に、所定の配置で実装された請求項１又は２記載の遊技機。
【請求項４】
前記発光手段を電気的に制御する前記演出用基板上の配線パターンが、少なくとも透明又は半透明導電材料からなる請求項１〜３のいずれか一項に記載の遊技機。
【請求項５】
前記発光手段に流れる電流を制限する制限抵抗の全部又は一部が、前記導電材料からなる請求項４記載の遊技機。
【請求項６】
前記表示器が、スロットマシンに備える複数のリールからなり、
前記演出用基板が、前記リールに表された数種の図柄が外部から視認可能な表示窓部に設けられた請求項１〜５のいずれか一項に記載の遊技機。
【請求項７】
前記演出用基板が外部と遮断されるよう当該演出用基板の前面を覆う透光性部材を備える請求項１〜６のいずれか一項に記載の遊技機。
【発明の詳細な説明】
【技術分野】
【０００１】
本発明は、リールや液晶ＴＶなどの所定の表示器を備えるスロットマシンやパチンコ機等の遊技機に関し、特に、ＬＥＤチップなどの発光手段が実装されたガラス等の基材からなる透明な演出用基板をリールやＴＶ表示器の前面に配設することで、演出効果を高めることができる遊技機に関する。
【背景技術】
【０００２】
一般に、スロットマシンやパチンコ機等の遊技機には、遊技の結果を左右する表示器を備えており、１ゲーム毎に変動・停止するとともに、所定の停止図柄の組合せが停止表示されると遊技媒体の獲得ができるようになっている。
このような表示器は、例えば、スロットマシンでは、回動する３つのリールを備えるドラム装置が該当し、パチンコ機では、変動表示する液晶ＴＶなどが該当する。
【０００３】
このような表示器は、遊技者が常に注視しているため、遊技者がゲーム毎に期待感をもって、遊技を視覚的に楽しめるように、当該表示器の近傍にはＬＥＤやランプなどの発光体が実装された演出用基板が設置されている。
このような演出用基板は、遊技機の演出には不可欠な要素となっており、例えば、スロットマシンでは、リールの後方からランプを照射させ、ランプの点灯、点滅、消灯や発光色の変化等の組合せにより、内部抽せんの結果、所定の当せん役の当せんを事前の報知する、いわゆる予告をしたり、リーチ状態を知らせたりすることで、遊技者の期待感を高揚させる役割を果たしている。
【０００４】
このような演出用基板は、通常、不透明な銅張積層板からなるプリント基板で構成されているため、配設される位置にも一定の制限があり、遊技者が注視する上記の表示器に表示される図柄の識別を妨げないような位置に配設されているのが一般的となっている。
例えば、スロットマシンでは、リールの後方又は側面に配設されており、パチンコ機では、液晶ＴＶの周辺に配設されている。
このような配置上の制限より、これらの演出用基板は、あくまでも補助的な演出効果を奏するに過ぎず、更なる演出効果の向上が望まれている。
【０００５】
そこで、このようなニーズに応えるべく、最近では、スロットマシンのリールに表された数種の図柄が外部から視認可能な表示窓部を液晶ＴＶで覆う全面液晶スロットマシンが提案されている（特許文献１）。
これにより、液晶の透光性を利用することで、図柄の視認性を確保するとともに、液晶画面上の表現により、従前のＬＥＤ等の発光体とは異なる細かな演出が実現されている。
【０００６】
【特許文献１】特開２００４−１６６９６０号公報（第１１頁、第３図）
【発明の開示】
【発明が解決しようとする課題】
【０００７】
しかしながら、特許文献１に記載された表示窓部を液晶ＴＶで覆う全面液晶スロットマシンでは、インチサイズの大きな液晶ＴＶが搭載されるため、製造コストが通常のスロットマシンと比べ、割高となり、販売価格も高価となってしまっていた。
また、表示窓部では、液晶の特性より、透光性を有するものの、無色透明ではないため、リール上に表された図柄が鮮明に視認できるものではなかった。
さらに、液晶自体は発光体ではないため、特にリールが目視される表示窓部では、光源はリール奥等に配置されたバックライトから照射された光に頼らざるを得ず、バックライトが発光したときは、液晶上の演出表示とリール上の図柄と重なって見えるため、鮮明な演出画像が得られるものではなかった。
【０００８】
本発明は、上述したような従来の技術が有する問題を解決するために提案されたものであり、ＬＥＤチップなどの発光手段が実装された透光性を有する演出用基板を、所定の表示器の前面に備えることで、図柄の視認性を確保しつつ、安価で従来にない演出が可能な遊技機の提供を目的とする。
【課題を解決するための手段】
【０００９】
上記目的を達成するため、本発明の遊技機は、請求項１に記載するように、図柄が変動・停止表示される所定の表示器と、所定の演出表示を表示させる演出用基板と、を備える遊技機であって、前記演出用基板が、所定の発光手段が実装されるとともに、前記表示器の図柄が外部から視認可能な透光性を有する基材からなり、前記表示器の前面に設けられた構成としてある。
このような構成とすることにより、ランプやＬＥＤチップなどの発光手段が実装された演出用基板が、表示器の図柄が外部から視認可能な透光性を有する基材からなるため、当該演出用基板を、表示器の前面に重ねて設けることができる。
これにより、遊技者が注視している表示器の表示範囲の視界を妨げることなく、表示器に表示される図柄の視認性を確保できるとともに、従来のような補助的な演出ではなく、表示器と交差し、かつ同調した演出が可能となり、遊技機の演出面の巾を広げることができる。
【００１０】
また、発光手段としては、液晶ＴＶなどの高価な演出用部材を使用することなく、発光ダイオードであるＬＥＤチップや電球ランプなどの比較的単価の安い発光体を利用することができる。
これにより、遊技機全体のコストの削減を図ることができる。
また、液晶と異なり、ＬＥＤチップや電球ランプが自ら発光体として機能するため、遊技者の目に直接光を照射することができ、遊技者に迫力のある演出を与えることができる。
【００１１】
また、本発明の遊技機は、請求項２に記載するように、前記発光手段が、ＬＥＤチップからなる構成とすることができる。
このような構成とすることにより、発光手段を発光ダイオードであるＬＥＤチップとすることができる。
【００１２】
近年のＬＥＤチップは、比較的高い輝度を有するがため、遊技者にインパクトを与える演出ができるとともに、入手が容易で、安価に製造ができ、製品コストの低減を図ることができる。
また、ＬＥＤチップには、ＲＧＢ発光素子を内蔵したカラー発光ＬＥＤチップも存在するため、遊技状態や予告演出の信頼度に対応して発光色を変えた演出ができ、演出の巾を広げることができる。
【００１３】
また、本発明の遊技機は、請求項３に記載するように、前記発光手段が、複数設けられるとともに、前記演出用基板上に、所定の配置で実装された構成とすることができる。
このような構成とすることにより、複数のランプやＬＥＤチップなどの発光手段により、輝度の高い照明効果が得られるとともに、所定の配置にすることにより演出効果に変化をもたらすことができる。
例えば、複数の発光手段の配置を点灯時に「ＢＩＧ」や「ＨＩＴ」などの文字が形成されるようなドットマトリックス状に配置とすることにより、文字演出により、遊技者に具体的な報知を行うことができ、遊技機の指示に従った適正な遊技を進行させることができる。
これにより、多彩な演出を楽しむことができ、遊技性を向上させることができる。
【００１４】
また、本発明の遊技機は、請求項４に記載するように、前記発光手段を電気的に制御する前記演出用基板上の配線パターンが、少なくとも透明又は半透明導電材料からなる構成とすることができる。
このような構成とすることにより、基板自体の透光性に加え、配線パターンも透光性を有することとなり、表示器に表示された図柄の視認性を十分に確保することができる。
これにより、遊技者は、表示器に表示された図柄を明確に認識できるとともに、配線パターンが表示器の前面に見えることによる違和感が解消される。
なお、このような透明又は半透明導電材料からなる配線パターンとしては、液晶やプラズマディスプレイ等に多用されている透光性と導電性を兼ね備えるＩＴＯ（酸化インジュウムスズ）などを材料として形成されている透明導電膜が知られている。
【００１５】
また、本発明の遊技機は、請求項５に記載するように、前記発光手段に流れる電流を制限する制限抵抗の全部又は一部が、前記導電材料からなる構成とすることができる。
このような構成とすることにより、ランプやＬＥＤチップなどの発光手段に流れる電流を制限する制限抵抗器を削減又は不要とすることができる。
【００１６】
一般的に、プリント基板にプリントさせている銅箔パターンの場合は、単位面積当りの抵抗値はほとんど無いが、ＩＴＯのような透明導電材は、膜厚にもよるが、単位面積当りに数オームから数十オームの抵抗値を有している。
そこで、ランプやＬＥＤチップなどの発光手段に定格電流が流れるように透明導電材からなる配線パターンの厚みや長さ等を調整することで、配線パターンを発光手段の制限抵抗器として機能させることができる。
これにより、一般の電子回路に実装される炭素皮膜抵抗器等の抵抗器を削減又は不要とすることができ、コストの低減が図られる。
【００１７】
また、本発明の遊技機は、請求項６に記載するように、前記表示器が、スロットマシンに備える複数のリールからなり、前記演出用基板が、前記リールに表された数種の図柄が外部から視認可能な表示窓部に設けられた構成とすることができる。
このような構成とすることにより、スロットマシンのリールに表された数種の図柄が外部から視認可能な表示窓部に演出用基板を備えることができる。
スロットマシンは、遊技者が回動するリール上の図柄等を識別しつつ、遊技者自身の遊技操作により遊技が進行する構成の遊技機であるため、このような演出用基板を備えることで、遊技者に的確な指示を知らしめることができる。
【００１８】
近年、多くのスロットマシンの場合、回動するリールの他に表示器として、ＬＥＤなどの発光手段から構成されるドットマトリックス表示器や液晶ＴＶをリールの近傍に備えている。そして、このような表示器を用いた演出により、遊技者の遊技操作をアシストすることで、遊技者による遊技が円滑に進行されるよう援助している。
しかしながら、このような表示器は、リールとは異なる位置に配設されているため、遊技機から指示がある度に、遊技者は、リールから視点を移動させ、液晶ＴＶ等に目を移さなければならず、遊技者の疲労を増加させる要因にもなっていた。
【００１９】
そこで、本発明に係る演出用基板を、リールに表された数種の図柄が外部から視認可能な表示窓部に備えることで、遊技者は、視点を移動させることなく、遊技機からの指示を視認できるため、遊技者の疲労を軽減することができる。
また、複数のリールに対応させて、ＬＥＤチップなどの発光手段を点灯演出させることができるため、特に、リールの停止操作の順番を遊技者に指示するいわゆる「押順ナビ」の場合は、遊技者に、リールを注視しながら、発光手段の点灯演出に従った適切な操作をさせることができ、視点を移動させることで生じる誤操作を減らすことができ、遊技媒体等の無用な浪費を抑制することもできる。
【００２０】
また、本発明の遊技機は、請求項７に記載するように、前記演出用基板が外部と遮断されるよう当該演出用基板の前面を覆う透光性部材を備える構成とすることができる。
このような構成とすることにより、透光性部材により、演出用基板が外部に露出されないため、遊技機の外部から操作することで、ＬＥＤチップなど発光手段や配線パターン等をショートさせるなどの不正行為を排除することができる。
また、透光性を有する部材で覆われるため、演出用基板で表示される演出表示の視認性を損なうおそれも生じない。
【発明の効果】
【００２１】
本発明の遊技機によれば、発光手段が設けられた透光性を有する演出用基板を所定の表示器の前面に備えることで、図柄の視認性を確保しつつ、安価で従来にない演出が可能となる。
【発明を実施するための最良の形態】
【００２２】
以下、本発明に係る遊技機の好ましい実施形態について、図１〜図７を参照しつつ説明する。
図１は、本実施形態に係る遊技機の概略正面図であり、図２は、同じく本実施形態に係る遊技機の内部の構成を示す概略斜視図である。
これらの図に示すように、本実施形態に示す遊技機としては、スロットマシンに適用する。
［スロットマシン本体］
本実施形態のスロットマシン１は、これらの図に示すように、従来のスロットマシンと同様に、スロットマシン１に備えられた複数のリール７ａ，７ｂ，７ｃを回転させることによって遊技媒体を獲得することができる回胴式遊技機を構成している。
【００２３】
スロットマシン１は、遊技者の操作に係る各種装置が配設された前扉１ａと、前扉１ａを開閉可能に支持し、前述したリール７等が収容された筐体１ｂからなる。
前扉１ａには、遊技媒体である遊技メダルを投入するメダル投入口３、遊技者の操作によりリール７が回動を開始するスタートレバー４、前述したリール７の回動状態が外部から目視可能な表示窓部２、表示窓部２から識別可能なリール７に表された図柄を注視しつつ、遊技者が押下することでリール７が停止制御される停止ボタン５（５ａ，５ｂ，５ｃ）、遊技メダルが払い出される遊技メダル払出口６などが配設されている。
そして、本実施形態では、表示窓部２に、無色透明なガラス基板２１ｅに複数のＬＥＤチップ２１ａが実装されたＬＥＤ演出板２１が設けられ、本発明に係る演出用基板として機能するようになっている。
なお、ＬＥＤ演出板２１についての詳細は、後述するものとする。
【００２４】
一方、筐体１ｂには、周面上に数種の図柄が表された３つのリール７からなるドラムユニット、スロットマシン１全体を制御し、スロット遊技を管理制御する主制御部８や主制御部８からの指令により、スロットマシン１に備えるランプ、ＬＥＤなどの電飾部品や液晶ＴＶ、上記ＬＥＤ演出板２１などを制御する演出制御部９等が配設されている。
【００２５】
本実施形態に係るスロットマシン１の遊技は、一般的なスロットマシンと同様、遊技者が、遊技媒体である遊技メダルをメダル投入口３より投入し、スタートレバー４を操作することにより、３つのリール７（７ａ，７ｂ，７ｃ）が順次回動を開始するとともに、各リール７に対応して設けられた停止ボタン５（５ａ，５ｂ，５ｃ）をそれぞれ押下操作することにより、リール７（７ａ，７ｂ，７ｃ）が停止するようになっている。
そして、停止されたリール上に表示された図柄の組合せに応じて、所定枚数の遊技メダルが遊技メダル払出口６から払い出されるようになっている。
【００２６】
上記のようなスロットマシン１における遊技の制御は、筐体１ｂに配設された主制御部８において行われている。
主制御部８は、上述したスロットマシン１の各部を制御する制御手段であって、ＩＣ，メモリ，各種回路基板等を備えたマイクロコンピュータを有して構成されている。
具体的には、主制御部８は、ＣＰＵと、記憶手段となるＲＡＭ及びＲＯＭ，基準クロックを発生するクロック発生回路，内部抽せん用の乱数を発生する乱数発生回路などを備え、ＲＯＭに記録されたプログラムに基づいて、スロットマシンが制御されるようになっている。
プログラムは、コンピュータの各構成要素に指令を送り、所定の処理、例えば、リールの回転開始処理，リールの停止制御処理，内部当たりの抽せん処理や、前述した演出制御部にコマンドを送信する処理を行うことで所定の演出等を行わせる。このように、本実施形態のスロットマシン１における各処理，動作は、プログラムとコンピュータとが協働した具体的手段により実現されるものである。
【００２７】
また、演出制御部９は、主制御部８と同様に所定のＣＰＵ等を備えるマイクロコンピュータにより構成され、主制御部８から伝送される遊技状態に対応したコマンドを受信することにより、当該コマンドに対応した演出を行うように液晶ＴＶやＬＥＤ演出板２１などを制御するようになっている。
これにより、ＬＥＤ演出板２１が、スロットマシン１の遊技状態に同調した演出となるように制御され、例えば、リール７の回転開始時の予告演出や、リール７の回転中の押順ナビ演出など、遊技状態に即した演出ができるようになっている。
【００２８】
［ＬＥＤ演出板］
次に、本発明に係る演出用基板として機能するＬＥＤ演出板２１について、図３〜図７を参照しつつ説明する。
図３は、本実施形態に係るスロットマシンの表示窓部を示す概略正面図であり、
図４は、本実施形態に係るスロットマシンの表示窓部のＬＥＤチップが直列に実装された図３におけるＡ部を示す図であって（ａ）は、正面図、（ｂ）は、図（ａ）の断面図、（ｃ）は、等価回路図を示している。図５は、本実施形態に係るスロットマシンの表示窓部のＬＥＤチップが並列に実装された図３におけるＢ部を示す図であって、（ａ）は、正面図、（ｂ）は、図（ａ）の断面図、（ｃ）は、等価回路図を示している。
図６は、本実施形態に係るスロットマシンの表示窓部におけるＬＥＤチップが同時点灯するように接続された配線パターン図であり、図７は、本実施形態に係るスロットマシンの表示窓部におけるＬＥＤチップが個別点灯するように接続された配線パターン図である。
【００２９】
ＬＥＤ演出板２１は、前述した表示窓部２に備えられ、外部と遮断されるよう遊技者側に設けられた無色透明なガラス板２０と、リール７との間に配設されている（図２，図４（ｂ），図５（ｂ）参照）。これにより、ＬＥＤ演出板２１が外部に露出されないため、スロットマシン１の外部から操作することで、発光手段であるＬＥＤチップや配線パターン等をショートさせるなどの不正行為を排除することができるようになっている。
図４，図５に示す例では、ＬＥＤ演出板２１は、無色透明な透光性を有するガラス基材からなるガラス基板２１ｅに単色の発光ダイオードであるＬＥＤチップ２１ａが複数実装された構成からなる。
ガラス基板２１ｅは、無色透明なガラスで、遊技者が、遊技者側に設けられたガラス板２０と当該ガラス基板２１ｅを通して、リール７上の図柄を鮮明に視認できるようになっている。
ガラス基板２１ｅは、遊技者側に設けられたガラス板２０とパッキン２０ａにより支持されるとともに、前扉１ａ側に備える前面パネル１ｃと裏板１ｄにより挟持させることで、固設されている（図２，図４（ｂ），図５（ｂ）参照）。
ＬＥＤチップ２１ａは、図１及び図３に示すように、リール７毎に同様な配置となるようにガラス基板２１ｅ上にドットマトリックス状に実装されるとともに、各リール７が停止した際に、表示窓部２から視認される各リール上の３つの図柄が、ＬＥＤチップ２１ａに遮られないよう配置されている。
【００３０】
このようにＬＥＤチップ２１ａを配置することにより、以下のような、作用効果を生じさせることができる。
まず、ＬＥＤチップ２１ａを各リール７同様な配置とすることにより、リール毎の演出が可能となり、前述したリールの停止操作の順番を遊技者に指示するいわゆる「押順ナビ」による演出が可能となる。
例えば、前述した演出制御部９が、リール毎の配置されたＬＥＤチップ２１ａを点灯制御し、適正なリール７の停止順に応じて、順番にＬＥＤチップ２１ａをリール毎に点灯させることができる。
これにより、遊技者は、従来のスロットマシンのようにリール近傍に設けられた他の表示器等に視点を移動することなく、リール７を直に注視しながら、適正な押し順で停止ボタン５を操作することができる。
【００３１】
また、各リール７が停止した際に、表示窓部２から視認される各リール上の３つの図柄が、ＬＥＤチップ２１ａに遮られないよう配置されることで、リール７上に停止表示された図柄の視認性を確保しつつ、リール７と交差し、かつリール７の動作状態と同調した、従来にない演出が可能となる。
また、ドットマトリックス状に配置されていることで、種々な演出が可能となり、例えば、ＬＥＤチップ２１ａが点灯時に「ＢＩＧ」などの文字が形成されるように点灯制御することで、遊技者に、ビッグボーナスの内部抽せんに当せんしたことを知らしめることもできる。
このような文字演出により、遊技者に具体的な報知を行うことができ、スロットマシン１の指示に従った適正な遊技を進行させることができる。
【００３２】
本実施形態の例では、ＬＥＤチップ２１ａの電気的な接続は、一般的なＬＥＤチップ２１の接続と同様に、図４（ａ）に示す直列接続や図５（ａ）に示す並列接続により接続されている。
各ＬＥＤチップ２１ａを接続する配線パターンは、光が透過し、かつ導電性の高い透明導電膜（例えば，ＩＴＯ：酸化インジュウムスズ）を材質として、ガラス基板２１ｅの遊技者側の面にＩＴＯパターン２１ｂとして形成されている。
ＩＴＯパターン２１ｂは、液晶やＥＬなどに透明導電膜を形成する手法であるスパッタリング法や真空蒸着法を用いて、基材のガラス基板２１ｅにＩＴＯを付着させ、堆積することにより透明導電膜を形成した後、これをエッチング加工することにより所望のパターンとなるようにガラス基板２１ｅ上にプリントされたものである。
このように、配線パターンを透明導電膜とすることにより、基板自体の透光性に加え、配線パターンも透光性を有することとなり、リール７上に表示された図柄の視認性を十分に確保することができる。
【００３３】
さらに、各ＬＥＤチップ２１ａは、配線パターン２１ｂに異方向性導電接着剤２１ｄにより、接合されることで、ガラス基板２１ｅ上に実装されている。
そして、各ＬＥＤチップ２１ａの電気的な制御は、ＩＴＯパターン２１ｂを介して、さらに、異方向性導電接着剤２１ｄにより接合されるとともに、パッキン２１ｆにより支持されたフレキシブル基板２１ｃを介し、図示しない中継基板を経て、前述の演出制御部９に接続されることで、点灯制御されるようになっている。
【００３４】
演出制御部９は、主制御部８と同様に所定のＣＰＵ等を備えたコンピュータで構成され、各ＬＥＤチップ２１ａは、ＣＰＵのＩ／Ｏポートを介して点灯制御可能となるように、トランジスタ等からなるドライブ回路に接続されている。
このドライブ回路には、ＬＥＤチップ２１ａに流れる電流を制限する制限抵抗器も含まれる。
これにより、図４及び図５の例では、各ＬＥＤチップ２１ａが同時に点灯制御されるようになっている。
【００３５】
一般に、ＬＥＤチップなどの発光手段を点灯制御する際には、ＬＥＤチップなどの発光手段に印加される電圧や電流が、定格値を超えないように設計されている。
配線パターンが、銅薄膜からなる場合においては、特に単位面積当りの抵抗値は考慮せずに、制限抵抗値を定めることができるが、ＩＴＯからなる透明導電膜の場合は、膜厚にもよるが、単位面積当りに数オームから数十オームの抵抗値を有しており、これを制限抵抗値として考慮することもできる。
【００３６】
そこで、本実施形態では、ＬＥＤチップ２１ａに定格電流が流れるように透明導電材からなるＩＴＯパターン２１ｂの厚みや長さ等を調整することで、ＩＴＯパターン２１ｂの一部又は全部が、ＬＥＤチップ２１ａの制限抵抗器として機能するようになっている。
具体的には、図４（ｃ）に示す例では、両端のＬＥＤチップ２１ａまでの間や各ＬＥＤチップ２１ａ間のＩＴＯパターン２１ｂが、所定の抵抗値と等価となるように形成されている。
また、図５（ｃ）に示す例では、並列接続の部分を除く、両端のＬＥＤチップ２１ａまでの間のＩＴＯパターン２１ｂが、所定の抵抗値と等価となるように形成されている。
これにより、一般に電子回路に実装される炭素皮膜抵抗器等からなる抵抗器を削減又は不要とすることができ、コストの低減が図られる。
なお、図４、図５の例では、説明の便宜上、同時点灯するようにＩＴＯパターン２１ｂが形成されているが、個別点灯可能なようにＩＴＯパターン２１ｂを形成できることは勿論である。
【００３７】
さらに、本発明の演出用基板であるＬＥＤ演出板２１には、３色の発光ダイオードが内蔵されたＬＥＤチップもガラス基板２１ｅ上に実装されている。
図６の例では、５つの３色ＬＥＤチップが同時に点灯制御される配線パターン図を示しており、各ＬＥＤチップ２１ａには、赤色発光ダイオードが制御可能なＩＴＯパターン２１ｂ−Ｒ、青色発光ダイオードが制御可能なＩＴＯパターン２１ｂ−Ｂ、緑色発光ダイオードが制御可能なＩＴＯパターン２１ｂ−Ｇが接続されており、各ＬＥＤチップ２１ａが直列に接続されるよう配線されているとともに、コモンパターンであるＩＴＯパターン２１ｂ−Ｃと接続されることにより、色別に同時点灯制御できるようになっている。
【００３８】
このように、複数の配線パターンを設けても、各ＩＴＯパターン２１ｂは透光性を有しているため、遊技者の視界を妨げることはなく、自由な配線パターンを形成することができ、ＬＥＤチップ２１ａを実装する配置の自由度を広げることができる。
また、３色の発光ダイオードが制御できるため、さらに演出の巾が広がり、色別に点灯制御することで、大当たり中や通常状態などの差異を表現し、スロットマシン１の遊技状態を表示したり、内部抽せんの結果、当せん役の信頼度の違いを表現したりすることもできる。
また、３色同時に点灯させることもでき、これにより高輝度の照明効果が得られ、遊技者にインパクトのある演出を享受させることもできる。
【００３９】
また、図７の例では、５つの３色のＬＥＤチップが個別に点灯制御される配線パターン図を示している。
ＬＥＤチップ２１ａ毎に、赤色発光ダイオードが制御可能なＩＴＯパターン２１ｂ−Ｒ、青色発光ダイオードが制御可能なＩＴＯパターン２１ｂ−Ｂ、緑色発光ダイオードが制御可能なＩＴＯパターン２１ｂ−Ｇが個別に接続されているとともに、コモンパターンとしてＩＴＯパターン２１ｂ−Ｃが接続されている。
これにより、各ＬＥＤチップ２１ａが、個別、かつ、色別に点灯制御できるようになっている。
このように、ＬＥＤチップ２１ａ毎に複数の配線パターンを設けても、各ＩＴＯパターン２１ｂは透光性を有しているため、遊技者の視界を妨げることはなく、自由な配線パターンを形成することができ、ＬＥＤチップ２１ａを実装する配置の自由度を広げることができる。
また、各ＬＥＤチップ２１ａが、色別に点灯制御されることに加え、個別に点灯制御されることで、さらに演出の巾が広がり、ＬＥＤチップ２１ａのドットマトリックス状の配置を活かした演出が可能となり、文字等の表示演出ができるようになっている。
なお、図６及び図７に示すＩＴＯパターン２１ｂでは、配線パターンを単層で形成したが、各層間を絶縁することにより積層させた配線パターンとすることもできる。
【００４０】
以上説明したように、本実施形態に係るスロットマシンによれば、ＬＥＤチップ２１ａが実装されたＬＥＤ演出板２１が、リール７の図柄が外部から視認可能な透光性を有する無色透明な基材からなるため、ＬＥＤ演出板２１を、リール７の前面に重ねて設けることができる。
これにより、遊技者が注視しているリール７上に表された図柄が外部より視認できる表示窓部２の視界を妨げることなく、表示される図柄の視認性を確保できるとともに、従来のような補助的な演出ではなく、リール７と交差し、かつ同調した演出が可能となり、スロットマシンの演出面の巾を広げることができる。
また、液晶と異なり、ＬＥＤチップ２１ａが自ら発光体として機能するため、遊技者の目に直接光を照射することができ、遊技者に迫力のある演出を与えることができる。
また、発光手段を発光ダイオードであるＬＥＤチップ２１ａとすることで、近年のＬＥＤチップは、比較的高い輝度を有するがため、遊技者にインパクトを与える演出ができるとともに、入手が容易で、安価に製造ができ、製品コストの低減を図ることができる。
【００４１】
以上、本発明の遊技機の好ましい実施形態について説明したが、本発明に係る遊技機は上述した実施形態にのみ限定されるものではなく、本発明の範囲で種々の変更実施が可能であることは言うまでもない。
【００４２】
例えば、本実施形態では、発光手段をＬＥＤチップとしたが、電球等の安価なランプとすることもできる。
また、演出用基板の基材をガラスとしたが、透光性を有するアクリルなどの工業用樹脂とすることもできる。
【００４３】
また、本実施形態では、適用する遊技機をスロットマシンとしたが、これに限られるものではなく、例えば、液晶ＴＶやリール等の表示器を備えるパチンコ機であってもよく、表示器を備えるどのような遊技機であっても適用が可能である。この種の遊技機としては、スロットマシン（パチロット，パロットを含む）やパチンコ機の他、例えば、アレンジボール機，雀球機等、各種の遊技機があり、いずれも本発明の適用対象とすることができる。
特にパチンコ機の場合は、従前より、遊技盤を覆うガラス板は２枚設けられており、これを利用して、遊技盤側のガラス板を本実施形態に係るＬＥＤ演出板とすることもできる。
【００４４】
さらに、本実施形態では、配線パターンをＩＴＯからなる透明導電膜としたが、一般的に使用される銅薄膜により形成することもできる。この場合においては、表示器に表示される図柄が、特に停止表示の際に、配線パターンが停止図柄を妨げないように配線することが好ましい。
【産業上の利用可能性】
【００４５】
本発明は、液晶などのＴＶ表示器やリール等の表示器を備える遊技機に広く利用することができる。
【図面の簡単な説明】
【００４６】
【図１】本発明の一実施形態に係るスロットマシンを示す概略正面図である。
【図２】本発明の一実施形態に係るスロットマシンの内部構成を示す概略斜視図である。
【図３】本発明の一実施形態に係るスロットマシンの表示窓部を示す概略正面図である。
【図４】本発明の一実施形態に係るスロットマシンの表示窓部におけるＬＥＤチップが直列に実装された図３におけるＡ部を示す図であって、（ａ）は、正面図であり、（ｂ）は、図（ａ）の断面図であり、（ｃ）は、等価回路図を示している。
【図５】本発明の一実施形態に係るスロットマシンの表示窓部におけるＬＥＤチップが並列に実装された図３におけるＢ部を示す図であって、（ａ）は、正面図であり、（ｂ）は、図（ａ）の断面図であり、（ｃ）は、等価回路図を示している。
【図６】本発明の一実施形態に係るスロットマシンの表示窓部におけるＬＥＤチップが同時点灯するように接続された配線パターン図である。
【図７】本発明の一実施形態に係るスロットマシンの表示窓部におけるＬＥＤチップが個別点灯するように接続された配線パターン図である。
【符号の説明】
【００４７】
１  スロットマシン
１ａ  前扉
１ｂ  筐体
２  表示窓部
２０  ガラス板
２１  ＬＥＤ演出板
３  メダル投入口
４  スタートレバー
５（５ａ，５ｂ，５ｃ）  停止ボタン
６  遊技メダル払出口
７  （７ａ，７ｂ，７ｃ）リール
８  主制御部
９  演出制御部
【図１】
2008264215.tif 000003
【図２】
2008264215.tif 000004
【図３】
2008264215.tif 000005
【図４】
2008264215.tif 000006
【図５】
2008264215.tif 000007
【図６】
2008264215.tif 000008
【図７】
2008264215.tif 000009